【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
両端に光ファイバを接続してある部品（以下、接続部部品という）と、前記接続部部品の一方の側に接続されている第１の光ファイバと、前記接続部部品の他方の側に接続されている第２の光ファイバとを収納することができる光ファイバ保持部品において、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており（以下、前記光ファイバ収納部に収納される光ファイバや前記接続部部品収納部に収納される接続部部品のことを、単に、被収納物という）、前記光ファイバ保持部品はは、その長さ方向の最大寸法と光ファイバ保持部品の長さ方向に直交する２つの方向の各寸法のうちで大きな寸法を有する方の方向である幅方向の平均寸法に対して前記光ファイバ保持部品の長さ方向と幅方向とに直交する方向の寸法である厚み方向の平均寸法が明確に小さい形状（以下、長さ方向の寸法と幅方向の平均寸法に対して厚み方向の平均寸法が明確に小さい形状を平板状という）をしており、前記平板状の光ファイバ保持部品の少なくとも一方の表面側あるいは前記平板状の光ファイバ保持部品の少なくとも一方の表面側とそれに続いて形成されている前記平板状の光ファイバ保持部品の少なくとも一方の側面側（以下、前記平板状の光ファイバ保持部品の一方の表面側あるいは前記平板状の光ファイバ保持部品の一方の表面側とそれに続いて形成されている前記平板状の光ファイバ保持部品の少なくとも一方の側面側のことを、単に、光ファイバ保持部品の一方の特定面側という）の収納部への被収納物の収納もしくはその収納部からの取り出しを行うことができるように、前記平板状の光ファイバ保持部品の少なくとも一方の特定面側に前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、当該光ファイバ収納部に巻回させて収納する光ファイバの長さ方向になる方向である当該光ファイバ収納部の周方向に直交するとともに前記光ファイバ収納部の周方向と当該光ファイバ収納部の外側に向かう方向の双方に直交する方向を第１の方向と定義し、前記第１の方向に直交する２つの方向のうちの当該光ファイバ収納部の外側に向かう方向を第２の方向と定義し、前記第１の方向と第２の方向とに直交する前記光ファイバ収納部の周方向を第３の方向と定義するとき、光ファイバ収納部に設けられている複数の前記弾性体の突起は、その第１〜第３の各方向への投影成分が第１の方向において最大になる細長い突起であるとともに当該突起の長さ方向の中点よりも先端部側に光ファイバを押し当てて当該突起を撓ませて光ファイバを前記光ファイバ収納部することができる突起であり、前記少なくとも２つの光ファイバ収納部のうちの２つの光ファイバ収納部は、その双方を利用して一本の光ファイバの一部を一方の光ファイバ収納部に巻きつけて後その光ファイバの続きの部分を他方の光ファイバ収納部に巻きつけるということを適宜回数行なって当該光ファイバを保持することができるように配置されている光ファイバ収納部（以下、それぞれを第１の光ファイバ収納部という）であることを特徴とする光ファイバ保持部品。
【請求項２】
請求項１に記載の光ファイバ保持部品において、複数の前記弾性体の突起は、その先端部から付け根部分の方向へ３分の１以内の寸法の部分を光ファイバ心線で撓ませたときに、当該光ファイバ心線を損傷することなく３０°以上の角度に撓ませることができる柔らかさの突起であることを特徴とする光ファイバ保持部品。
【請求項３】
請求項１または２に記載の光ファイバ保持部品において、前記接続部部品収納部の少なくとも一部に、そこに収納する接続部部品を弾性力で押しつけるかあるいは挟み込んで保持することができる弾性体が配置されていることを特徴とする光ファイバ保持部品。
【請求項４】
請求項３に記載の光ファイバ保持部品において、前記接続部部品収納部に配置されている弾性体が前記接続部部品収納部の対向して配置された内壁のうちの少なくとも一方の内壁の少なくとも一部分であることを特徴とする光ファイバ保持部品。
【請求項５】
請求項３または４に記載の光ファイバ保持部品において、前記接続部部品収納部に配置されている弾性体が細長い突起であることを特徴とする光ファイバ保持部品。
【請求項６】
請求項１〜５のいずれか１項に記載の光ファイバ保持部品において、前記少なくとも２つの光ファイバ収納部のうちの少なくとも１つの光ファイバ収納部は、光ファイバが収納される部分に少なくとも１つの内壁を有していることを特徴とする光ファイバ保持部品。
【請求項７】
請求項６に記載の光ファイバ保持部品において、前記少なくとも１つの光ファイバ収納部の内壁は、前記光ファイバ保持部品の表面と裏面のいずれかに平行な中空円盤状の壁状構造物の一部であることを特徴とする光ファイバ保持部品。
【請求項８】
請求項１〜７のいずれか１項に記載の光ファイバ保持部品において、少なくとも１つの前記光ファイバ収納部は、その外方向または内方向のいずれかに形成された開口部を除いて内壁によって囲まれていることを特徴とする光ファイバ保持部品。
【請求項９】
請求項１〜８のいずれか１項に記載の光ファイバ保持部品において、少なくとも１つの前記光ファイバ収納部は、前記平板状の光ファイバ保持部品の厚み方向に切った断面の形状が一方向に開口部を有するコの字型であり、前記平板状の光ファイバ保持部品の上方から見た前記光ファイバ収納部の周方向の複数箇所において、前記開口部の近傍に弾性体の突起が形成されていることを特徴とする光ファイバ保持部品。
【請求項１０】
請求項１〜９のいずれか１項に記載の光ファイバ保持部品において、少なくとも１つの前記光ファイバ収納部は、少なくともその一部が少なくとも１つの前記接続部部品収納部の少なくとも一部と重なるように形成されていることを特徴とする光ファイバ保持部品。
【請求項１１】
請求項１〜１０のいずれか１項に記載の光ファイバ保持部品において、前記光ファイバ保持部品は前記光ファイバ保持部品の一方の表面の垂直上方から見た輪郭形状が楕円形もしくは長円形などの細長形状の外周部に一部切欠（以下、外周部切欠ともいう）がある形状であることを特徴とする光ファイバ保持部品。
【請求項１２】
請求項１〜１１のいずれか１項に記載の光ファイバ保持部品において、前記光ファイバ保持部品は、前記光ファイバ保持部品の一方の表面の垂直上方から見た光ファイバ保持部品の輪郭形状が、互いに隣り合った少なくとも２つの前記第１の光ファイバ収納部が配置されている間の部分に対応する前記光ファイバ保持部品の外周部分に、外周部切欠として、外周形状としての窪みを有する形状であることを特徴とする光ファイバ保持部品。
【請求項１３】
請求項１〜１２のいずれか１項に記載の光ファイバ保持部品において、前記平板状の光ファイバ保持部品の特定面側の外周近傍に周回して弾性体の細長い突起が複数配置されていることを特徴とする光ファイバ保持部品。
【請求項１４】
請求項１〜１３のいずれか１項に記載の光ファイバ保持部品において、前記平板状の光ファイバ保持部品の特定面側の外周近傍に周回して弾性体の壁状構造物が形成されていることを特徴とする光ファイバ保持部品。
【請求項１５】
請求項１〜１４のいずれか１項に記載の光ファイバ保持部品において、前記第１の光ファイバを収納する前記第１の光ファイバ収納部が１本の光ケーブルとして形成されている光ファイバを収納する光ファイバ収納部であり、前記第２の光ファイバを収納する前記第１の光ファイバ収納部が前記第１の光ファイバから分岐された複数本の光ファイバのうちの少なくとも１本の光ファイバを収納する光ファイバ収納部であることを特徴とする光ファイバ保持部品。
【請求項１６】
請求項１〜１４のいずれか１項に記載の光ファイバ保持部品において、前記接続部部品収納部は、前記平板状の光ファイバ保持部品の互いに隣り合った少なくとも２つの前記第１の光ファイバ収納部が配置されている特定面側に、前記平板状の光ファイバ保持部品の表面の上方から見て、前記互いに隣り合った少なくとも２つの第１の光ファイバ収納部の双方の一部と少なくとも一部が重なる位置関係に配置されているとともに、前記平板状の光ファイバ保持部品の特定面側の厚み方向に関して前記接続部部品収納部が前記互いに隣り合った少なくとも２つの第１の光ファイバ収納部よりも窪んで設けられていることを特徴とする光ファイバ保持部品。
【請求項１７】
請求項１６に記載の光ファイバ保持部品において、前記接続部部品収納部は、その底面が前記互いに隣り合った少なくとも２つの第１の光ファイバ収納部の底部もしくは下面よりも４ｍｍよりも大きく前記平板状の光ファイバ保持部品の特定面側の厚み方向に窪んで設けられていることを特徴とする光ファイバ保持部品。
【請求項１８】
請求項１〜１７のいずれか１項に記載の光ファイバ保持部品において、前記光ファイバ保持部品は細長形状で、その細長形状は、その長さ方向の一方の端部に円を２等分した一方の半円周を、長さ方向の他方の端部に円を２等分した他方の半円周を、双方が前記半円周の曲率中心が近い方向になるように配置し、両端に配置した双方の前記半円周の対向している端部をそれぞれ直線で結んだ形状である長円形の平板状であり、前記光ファイバ保持部品の少なくとも一方の特定面側に２つの前記第１の光ファイバ収納部と少なくとも１つの前記接続部部品収納部を有しており、２つの前記第１の光ファイバ収納部は、互いに重ならないように配置されているとともに前記接続部部品収納部と一部で重なって配置されており、前記接続部部品収納部は前記光ファイバ保持部品の幅方向周辺部に形成されており、前記接続部部品収納部は前記光ファイバ保持部品の長さ方向に長く、２つの前記第１の光ファイバ収納部の上壁面は、外周が円形であるとともに、そのおおむね半周は前記光ファイバ保持部品の長手方向の外周部輪郭とおおむね一致しており、前記光ファイバ保持部品の厚みは、接続部部品収納部の第１の光ファイバ収納部と重なっていない部分や、２つの前記第１の光ファイバ収納部の互いに重なっていない部分などの細部の構造部を除いて、おおむね同じ厚みになっていることを特徴とする光ファイバ保持部品。
【請求項１９】
請求項１〜１８のいずれか１項に記載の光ファイバ保持部品において、前記第１の光ファイバ収納部の上壁面には穴が形成されていることを特徴とする光ファイバ保持部品。
【請求項２０】
請求項１〜１９のいずれか１項に記載の光ファイバ保持部品において、前記光ファイバ保持部品の一方の特定面側に前記光ファイバ収納部が配置されているとともに他方の特定面側すなわち前記一方の特定面側の裏面側に相当する特定面側に前記接続部部品収納部が配置されており、前記光ファイバ保持部品の一方の特定面側に配置されている前記光ファイバ収納部と前記光ファイバ保持部品の他方の特定面側に配置されている前記接続部部品収納部との間に、前記光ファイバ保持部品の他方の特定面側に配置されている前記接続部部品収納部に収納されている接続部部品に接続されている光ファイバを前記光ファイバ保持部品の一方の特定面側に配置されている前記光ファイバ収納部に当該光ファイバを曲率半径が７．５ｍｍ以下にならないようにして、かつ、当該光ファイバ保持部品からその幅方向や長さ方向の外部に飛び出させることなく移動させることができる切り込み部が形成されていることを特徴とする光ファイバ保持部品。
【請求項２１】
請求項１〜２０のいずれか１項に記載の光ファイバ保持部品において、前記光ファイバ保持部品は、輪郭が、（８２ｍｍ±３％）×（４０ｍｍ±３％）×（８ｍｍ±３％）の大きさを超えないことを特徴とする光ファイバ保持部品。
【請求項２２】
請求項１〜２０のいずれか１項に記載の光ファイバ保持部品において、前記光ファイバ保持部品に、外部の接続部に接続することができる外部接続部が形成されていることを特徴とする光ファイバ保持部品。
【請求項２３】
請求項１〜４６のいずれかに記載の光ファイバ保持部品において、前記光ファイバ保持部品が樹脂を用いた一体成形技術で形成されていることを特徴とする光ファイバ保持部品。
【手続補正２】
【補正対象書類名】明細書
【補正対象項目名】００２０
【補正方法】変更
【補正の内容】
【００２０】
本発明の目的を達成するため、本発明の例としての第１の発明（以下、発明１という）である光ファイバ保持部品は、両端に光ファイバを接続してある部品（以下、接続部部品ともいう）と、前記接続部部品の一方の側に接続されている第１の光ファイバと、前記接続部部品の他方の側に接続されている第２の光ファイバとを収納することができる光ファイバ保持部品であり、前記光ファイバ保持部品は、前記第１の光ファイバと第２の光ファイバの少なくとも一方を巻回させて収納することができる光ファイバ収納部を少なくとも２つと前記接続部部品を収納することができる接続部部品収納部を少なくとも１つ有しており（以下、前記光ファイバ収納部に収納される光ファイバや前記接続部部品収納部に収納される接続部部品のことを、単に、被収納物ともいう）、前記光ファイバ保持部品は板状の形状をしており、その板状の形状の長さ方向の寸法及び光ファイバ保持部品の長さ方向に直交する２つの方向のうちで大きな寸法を有する方の方向である幅方向の平均寸法に対して前記光ファイバ保持部品の長さ方向と前記光ファイバ保持部品の幅方向とに直交する方向の寸法である厚み方向の平均寸法が明確に小さい形状（以下、長さ方向の寸法と幅方向の平均寸法に対して厚み方向の平均寸法が明確に小さい形状を平板状ともいう）をしており、前記平板状の光ファイバ保持部品の少なくとも一方の表面側あるいは前記平板状の光ファイバ保持部品の少なくとも一方の表面側とそれに続いて形成されている前記平板状の光ファイバ保持部品の少なくとも一方の側面側（以下、前記平板状の光ファイバ保持部品の一方の表面側あるいは前記平板状の光ファイバ保持部品の一方の表面側とそれに続いて形成されている前記平板状の光ファイバ保持部品の少なくとも一方の側面側のことを、単に、光ファイバ保持部品の一方の特定面側ともいう）から被収納物の収納もしくは取り出しを行うことができるように、前記平板状の光ファイバ保持部品の少なくとも一方の特定面側に前記光ファイバ収納部と前記接続部部品収納部の少なくとも一方を有しており、前記少なくとも２つの光ファイバ収納部のうちの少なくとも１つの光ファイバ収納部には弾性体の突起が複数配置されており、当該光ファイバ収納部に巻回させて収納する光ファイバの長さ方向になる方向である当該光ファイバ収納部の周方向に直交するとともに前記光ファイバ収納部の周方向と当該光ファイバ収納部の外側に向かう方向の双方に直交する方向を第１の方向と定義し、前記第１の方向に直交する２つの方向のうちの当該光ファイバ収納部の外側に向かう方向を第２の方向と定義し、前記第１の方向と第２の方向とに直交する前記光ファイバ収納部の周方向を第３の方向と定義するとき、複数の前記弾性体の突起は、その第１〜第３の方向への投影成分が第１の方向において最大になる突起であり、前記少なくとも２つの光ファイバ収納部のうちの２つの光ファイバ収納部は、その双方を利用して光ファイバを８の字形に巻回させて保持することができるように配置されている光ファイバ収納部（以下、それぞれを第１の光ファイバ収納部ともいう）であることを特徴とする光ファイバ保持部品になっている。
【手続補正３】
【補正対象書類名】明細書
【補正対象項目名】００２２
【補正方法】変更
【補正の内容】
【００２２】
前記発明１を展開してなされた本発明の例としての第２の発明（以下、発明２という）である光ファイバ保持部品は、発明１に記載の光ファイバ保持部品において、互いに隣り合った少なくとも２つの前記第１の光ファイバ収納部が互いに重ならない位置関係に配置されていることを特徴とする光ファイバ保持部品になっている。
【手続補正４】
【補正対象書類名】明細書
【補正対象項目名】００２４
【補正方法】変更
【補正の内容】
【００２４】
前記発明１，２を展開してなされた本発明の例としての第３の発明（以下、発明３という）である光ファイバ保持部品は、発明１または２に記載の光ファイバ保持部品において、複数の前記弾性体の突起は、その先端部から付け根部分の方向へ３分の１以内の寸法の部分を光ファイバ心線で撓ませたときに、当該光ファイバ心線を損傷することなく３０°以上の角度に撓ませることができる柔らかさの突起であることを特徴とする光ファイバ保持部品になっている。
【手続補正５】
【補正対象書類名】明細書
【補正対象項目名】００２５
【補正方法】変更
【補正の内容】
【００２５】
前記発明１〜３を展開してなされた本発明の例としての第４の発明（以下、発明４という）である光ファイバ保持部品は、発明１〜３のいずれかに記載の光ファイバ保持部品において、少なくとも１つの前記光ファイバ収納部に配置されている主要な弾性体の突起と前記接続部部品収納部に配置されている弾性体の少なくとも一部が、根本の最大寸法よりも長さの方が長い棒状あるいは板状の弾性体の突起であることを特徴とする光ファイバ保持部品になっている。
【手続補正６】
【補正対象書類名】明細書
【補正対象項目名】００２６
【補正方法】変更
【補正の内容】
【００２６】
前記発明１〜４を展開してなされた本発明の例としての第５の発明（以下、発明５という）である光ファイバ保持部品は、発明１〜４のいずれかに記載の光ファイバ保持部品において、少なくとも１つの前記光ファイバ収納部に配置されている複数の弾性体の突起のうちの主要な弾性体の突起は、当該光ファイバ収納部に光ファイバを収納したときに生じる光ファイバが広がろうとする動きを抑制することができる突起であることを特徴とする光ファイバ保持部品になっている。
【手続補正７】
【補正対象書類名】明細書
【補正対象項目名】００２７
【補正方法】変更
【補正の内容】
【００２７】
前記発明１〜５を展開してなされた本発明の例としての第６の発明（以下、発明６という）である光ファイバ保持部品は、発明１〜５のいずれかに記載の光ファイバ保持部品において、前記接続部部品収納部が少なくとも２方向に内壁を用いて構成されていることを特徴とする光ファイバ保持部品になっている。
【手続補正８】
【補正対象書類名】明細書
【補正対象項目名】００２８
【補正方法】変更
【補正の内容】
【００２８】
前記発明６を展開してなされた本発明の例としての第７の発明（以下、発明７という）である光ファイバ保持部品は、発明６に記載の光ファイバ保持部品において、前記接続部部品収納部の前記２つの内壁が対向して配置された内壁であることを特徴とする光ファイバ保持部品になっている。
【手続補正９】
【補正対象書類名】明細書
【補正対象項目名】００２９
【補正方法】変更
【補正の内容】
【００２９】
前記発明１〜７を展開してなされた本発明の例としての第８の発明（以下、発明８という）である光ファイバ保持部品は、発明１〜７のいずれかに記載の光ファイバ保持部品において、前記接続部部品収納部の少なくとも一部に、そこに収納する接続部部品を弾性力で押しつけるかあるいは挟み込んで保持することができる弾性体が配置されていることを特徴とする光ファイバ保持部品になっている。
【手続補正１０】
【補正対象書類名】明細書
【補正対象項目名】００３０
【補正方法】変更
【補正の内容】
【００３０】
前記発明８を展開してなされた本発明の例としての第９の発明（以下、発明９という）である光ファイバ保持部品は、発明８に記載の光ファイバ保持部品において、前記接続部部品収納部に配置されている弾性体が前記接続部部品収納部の対向して配置された内壁のうちの少なくとも一方の内壁の少なくとも一部分であることを特徴とする光ファイバ保持部品になっている。
【手続補正１１】
【補正対象書類名】明細書
【補正対象項目名】００３１
【補正方法】変更
【補正の内容】
【００３１】
前記発明８，９を展開してなされた本発明の例としての第１０の発明（以下、発明１０という）である光ファイバ保持部品は、発明８または９に記載の光ファイバ保持部品において、前記接続部部品収納部に配置されている弾性体が突起であることを特徴とする光ファイバ保持部品になっている。
【手続補正１２】
【補正対象書類名】明細書
【補正対象項目名】００３２
【補正方法】変更
【補正の内容】
【００３２】
前記発明１〜１０を展開してなされた本発明の例としての第１１の発明（以下、発明１１という）である光ファイバ保持部品は、発明１〜１０のいずれかに記載の光ファイバ保持部品において、前記接続部部品収納部全体が弾性体で形成されていることを特徴とする光ファイバ保持部品になっている。
【手続補正１３】
【補正対象書類名】明細書
【補正対象項目名】００３３
【補正方法】変更
【補正の内容】
【００３３】
前記発明１〜１１を展開してなされた本発明の例としての第１２の発明（以下、発明１２という）である光ファイバ保持部品は、発明１〜１１のいずれかに記載の光ファイバ保持部品において、前記少なくとも２つの光ファイバ収納部のうちの少なくとも１つの光ファイバ収納部は、光ファイバが収納される部分に少なくとも１つの内壁を有しており、前記内壁の表面の平均値としての前記第１〜第３の方向への各投影成分が前記第２の方向において最大になることを特徴とする光ファイバ保持部品になっている。
【手続補正１４】
【補正対象書類名】明細書
【補正対象項目名】００３４
【補正方法】変更
【補正の内容】
【００３４】
前記発明１〜１２を展開してなされた本発明の例としての第１３の発明（以下、発明１３という）である光ファイバ保持部品は、発明１〜１２のいずれかに記載の光ファイバ保持部品において、前記少なくとも１つの光ファイバ収納部の内壁は、前記光ファイバ保持部品の表面と裏面のいずれかに平行な中空円盤状の壁状構造物の一部であることを特徴とする光ファイバ保持部品になっている。
【手続補正１５】
【補正対象書類名】明細書
【補正対象項目名】００３５
【補正方法】変更
【補正の内容】
【００３５】
前記発明１〜１３を展開してなされた本発明の例としての第１４の発明（以下、発明１４という）である光ファイバ保持部品は、発明１〜１３のいずれかに記載の光ファイバ保持部品において、少なくとも１つの前記光ファイバ収納部には、そこに配置されている主要な弾性体の突起の長さ方向に平行な主成分をもつ側壁が配置されていないことを特徴とする光ファイバ保持部品になっている。
【手続補正１６】
【補正対象書類名】明細書
【補正対象項目名】００３６
【補正方法】変更
【補正の内容】
【００３６】
前記発明１〜１４を展開してなされた本発明の例としての第１５の発明（以下、発明１５という）である光ファイバ保持部品は、発明１〜１４のいずれかに記載の光ファイバ保持部品において、少なくとも１つの前記光ファイバ収納部は、開口部と直交する方向に最大の投影寸法成分を有する一対の内壁を有していることを特徴とする光ファイバ保持部品になっている。
【手続補正１７】
【補正対象書類名】明細書
【補正対象項目名】００３７
【補正方法】変更
【補正の内容】
【００３７】
前記発明１〜１５を展開してなされた本発明の例としての第１６の発明（以下、発明１６という）である光ファイバ保持部品は、発明１〜１５のいずれかに記載の光ファイバ保持部品において、少なくとも１つの前記光ファイバ収納部は、その外方向または内方向のいずれかに形成された開口部を除いて内壁によって囲まれていることを特徴とする光ファイバ保持部品になっている。
【手続補正１８】
【補正対象書類名】明細書
【補正対象項目名】００３８
【補正方法】変更
【補正の内容】
【００３８】
前記発明１〜１６を展開してなされた本発明の例としての第１７の発明（以下、発明１７という）である光ファイバ保持部品は、発明１〜１６のいずれかに記載の光ファイバ保持部品において、少なくとも１つの前記光ファイバ収納部は、前記平板状の光ファイバ保持部品の特定面側から前記平板状の光ファイバ保持部品の厚み方向に切った断面の形状が一方向に開口部を有するコの字型であり、前記平板状の光ファイバ保持部品の上方から見た前記光ファイバ収納部の周方向の複数箇所において、前記開口部の近傍に弾性体の突起が形成されていることを特徴とする光ファイバ保持部品になっている。
【手続補正１９】
【補正対象書類名】明細書
【補正対象項目名】００３９
【補正方法】変更
【補正の内容】
【００３９】
前記発明１〜１７を展開してなされた本発明の例としての第１８の発明（以下、発明１８という）である光ファイバ保持部品は、発明１〜１７のいずれかに記載の光ファイバ保持部品において、少なくとも１つの前記光ファイバ収納部は、少なくともその一部が少なくとも１つの前記接続部部品収納部の少なくとも一部と重なるように形成されていることを特徴とする光ファイバ保持部品になっている。
【手続補正２０】
【補正対象書類名】明細書
【補正対象項目名】００４０
【補正方法】変更
【補正の内容】
【００４０】
前記発明１〜１８を展開してなされた本発明の例としての第１９の発明（以下、発明１９という）である光ファイバ保持部品は、発明１〜１８のいずれかに記載の光ファイバ保持部品において、前記光ファイバ保持部品は前記光ファイバ保持部品の一方の表面の垂直上方から見た輪郭形状がおおむね細長形状であることを特徴とする光ファイバ保持部品になっている。
【手続補正２１】
【補正対象書類名】明細書
【補正対象項目名】００４１
【補正方法】変更
【補正の内容】
【００４１】
前記発明１９を展開してなされた本発明の例としての第２０の発明（以下、発明２０という）である光ファイバ保持部品は、発明１９に記載の光ファイバ保持部品において、前記光ファイバ保持部品は前記光ファイバ保持部品の一方の表面の垂直上方から見た輪郭形状が長円形もしくは楕円形であることを特徴とする光ファイバ保持部品になっている。
【手続補正２２】
【補正対象書類名】明細書
【補正対象項目名】００４２
【補正方法】変更
【補正の内容】
【００４２】
前記発明１９を展開してなされた本発明の例としての第２１の発明（以下、発明２１という）である光ファイバ保持部品は、発明１９に記載の光ファイバ保持部品において、前記光ファイバ保持部品は前記光ファイバ保持部品の一方の表面の垂直上方から見た輪郭形状が楕円形もしくは長円形などの細長形状の外周部に一部切欠（以下、外周部切欠ともいう）がある形状であることを特徴とする光ファイバ保持部品になっている。
【手続補正２３】
【補正対象書類名】明細書
【補正対象項目名】００４３
【補正方法】変更
【補正の内容】
【００４３】
前記発明２１を展開してなされた本発明の例としての第２２の発明（以下、発明２２という）である光ファイバ保持部品は、発明２１に記載の光ファイバ保持部品において、前記光ファイバ保持部品は、前記光ファイバ保持部品の一方の表面の垂直上方から見た光ファイバ保持部品の輪郭形状が、互いに隣り合った少なくとも２つの前記第１の光ファイバ収納部が配置されている間の部分に対応する前記光ファイバ保持部品の外周部分に、外周部切欠として、外周形状としての窪みを有する形状であることを特徴とする光ファイバ保持部品になっている。
【手続補正２４】
【補正対象書類名】明細書
【補正対象項目名】００４４
【補正方法】変更
【補正の内容】
【００４４】
前記発明１〜２２を展開してなされた本発明の例としての第２３の発明（以下、発明２３という）である光ファイバ保持部品は、発明１〜２２のいずれかに記載の光ファイバ保持部品において、前記平板状の光ファイバ保持部品の特定面側の外周近傍に周回して弾性体の突起が複数配置されていることを特徴とする光ファイバ保持部品になっている。
【手続補正２５】
【補正対象書類名】明細書
【補正対象項目名】００４５
【補正方法】変更
【補正の内容】
【００４５】
前記発明１〜２３を展開してなされた本発明の例としての第２４の発明（以下、発明２４という）である光ファイバ保持部品は、発明１〜２３のいずれかに記載の光ファイバ保持部品において、前記平板状の光ファイバ保持部品の特定面側の外周近傍に周回して弾性体の壁状構造物が形成されていることを特徴とする光ファイバ保持部品になっている。
【手続補正２６】
【補正対象書類名】明細書
【補正対象項目名】００４６
【補正方法】変更
【補正の内容】
【００４６】
前記発明１〜２４を展開してなされた本発明の例としての第２５の発明（以下、発明２５という）である光ファイバ保持部品は、発明１〜２４のいずれかに記載の光ファイバ保持部品において、前記第１の光ファイバを収納する前記第１の光ファイバ収納部が１本の光ケーブルとして形成されている光ファイバを収納する光ファイバ収納部であり、前記第２の光ファイバを収納する前記第１の光ファイバ収納部が前記第１の光ファイバから分岐された複数本の光ファイバのうちの少なくとも１本の光ファイバを収納する光ファイバ収納部であることを特徴とする光ファイバ保持部品になっている。
【手続補正２７】
【補正対象書類名】明細書
【補正対象項目名】００４７
【補正方法】変更
【補正の内容】
【００４７】
前記発明１〜２５を展開してなされた本発明の例としての第２６の発明（以下、発明２６という）である光ファイバ保持部品は、発明１〜２５のいずれかに記載の光ファイバ保持部品において、前記光ファイバ保持部品の一方の特定面側に前記第１の光ファイバ収納部と前記接続部部品収納部の双方が配置されていることを特徴とする光ファイバ保持部品になっている。
【手続補正２８】
【補正対象書類名】明細書
【補正対象項目名】００４８
【補正方法】変更
【補正の内容】
【００４８】
前記発明１〜２６を展開してなされた本発明の例としての第２７の発明（以下、発明２７という）である光ファイバ保持部品は、発明１〜２６のいずれかに記載の光ファイバ保持部品において、前記接続部部品収納部は、前記平板状の光ファイバ保持部品の互いに隣り合った少なくとも２つの前記第１の光ファイバ収納部が配置されている特定面側に、前記平板状の光ファイバ保持部品の表面の上方から見て、前記互いに隣り合った少なくとも２つの第１の光ファイバ収納部の双方の一部と少なくとも一部が重なる位置関係に配置されているとともに、前記平板状の光ファイバ保持部品の特定面側の厚み方向に関して前記接続部部品収納部が前記互いに隣り合った少なくとも２つの第１の光ファイバ収納部よりも窪んで設けられていることを特徴とする光ファイバ保持部品になっている。
【手続補正２９】
【補正対象書類名】明細書
【補正対象項目名】００４９
【補正方法】変更
【補正の内容】
【００４９】
前記発明２７を展開してなされた本発明の例としての第２８の発明（以下、発明２８という）である光ファイバ保持部品は、発明２７に記載の光ファイバ保持部品において、前記接続部部品収納部は、その底面が前記互いに隣り合った少なくとも２つの第１の光ファイバ収納部の底部もしくは下面よりも４ｍｍよりも大きく前記平板状の光ファイバ保持部品の特定面側の厚み方向に窪んで設けられていることを特徴とする光ファイバ保持部品になっている。
【手続補正３０】
【補正対象書類名】明細書
【補正対象項目名】００５０
【補正方法】変更
【補正の内容】
【００５０】
前記発明１〜２８を展開してなされた本発明の例としての第２９の発明（以下、発明２９という）である光ファイバ保持部品は、発明１〜２８のいずれかに記載の光ファイバ保持部品において、前記平板状の光ファイバ保持部品の一方の特定面側に少なくとも２つの前記第１の光ファイバ収納部が配置されており、２つの前記第１の光ファイバ収納部は、前記平板状の光ファイバ保持部品の一方の特定面側の光ファイバ保持部品の表面の長さ方向の両端部もしくは両端部近傍に配置されており、少なくとも一つの前記接続部部品収納部は、前記平板状の光ファイバ保持部品の前記一方の特定面側の光ファイバ保持部品の表面側と側面側のいずれかあるいは双方にわたって、前記平板状の光ファイバ保持部品の長さ方向に伸びて配置されており、前記平板状の光ファイバ保持部品の厚み方向に関して前記平板状の光ファイバ保持部品の表面から裏面側に近づく方向を低い位置と表現して、前記接続部部品収納部は、前記平板状の光ファイバ保持部品の厚み方向に関して、少なくとも一つの前記第１の光ファイバ収納部よりも低い位置に窪んで設けられていることを特徴とする光ファイバ保持部品になっている。
【手続補正３１】
【補正対象書類名】明細書
【補正対象項目名】００５１
【補正方法】変更
【補正の内容】
【００５１】
前記発明１〜２９を展開してなされた本発明の例としての第３０の発明（以下、発明３０という）である光ファイバ保持部品は、発明１〜２９のいずれかに記載の光ファイバ保持部品において、前記光ファイバ保持部品は細長形状で、その細長形状は、その長さ方向の一方の端部に円を２等分した一方の半円周を、長さ方向の他方の端部に円を２等分した他方の半円周を、双方が前記半円周の曲率中心が近い方向になるように配置し、両端に配置した双方の前記半円周の対向している端部をそれぞれ直線で結んだ形状である長円形の平板状であり、前記光ファイバ保持部品の少なくとも一方の特定面側に２つの前記第１の光ファイバ収納部と少なくとも１つの前記接続部部品収納部を有しており、２つの前記第１の光ファイバ収納部は、互いに重ならないように配置されているとともに前記接続部部品収納部と一部で重なって配置されており、前記接続部部品収納部は前記光ファイバ保持部品の幅方向周辺部に形成されており、前記接続部部品収納部は前記光ファイバ保持部品の長さ方向に長く、２つの前記第１の光ファイバ収納部の上壁面は、外周が円形であるとともに、そのおおむね半周は前記光ファイバ保持部品の長手方向の外周部輪郭とおおむね一致しており、前記光ファイバ保持部品の厚みは、接続部部品収納部の第１の光ファイバ収納部と重なっていない部分や、２つの前記第１の光ファイバ収納部の互いに重なっていない部分などの細部の構造部を除いて、おおむね同じ厚みになっていることを特徴とする光ファイバ保持部品になっている。
【手続補正３２】
【補正対象書類名】明細書
【補正対象項目名】００５２
【補正方法】変更
【補正の内容】
【００５２】
前記発明２９，３０に記載の本発明の構成を利用して，光ファイバ保持部品の大幅な小型化を進めることができ、作業性の大幅な向上を図ることができる。
【手続補正３３】
【補正対象書類名】明細書
【補正対象項目名】００５３
【補正方法】変更
【補正の内容】
【００５３】
前記発明１〜３０を展開してなされた本発明の例としての第３１の発明（以下、発明３１という）である光ファイバ保持部品は、発明１〜３０のいずれかに記載の光ファイバ保持部品において、前記接続部部品収納部の外側の側壁は、前記光ファイバ保持部品の厚み方向に関して、隣接する前記第１の光ファイバ収納部の下面よりも高く形成されていることを特徴とする光ファイバ保持部品になっている。
【手続補正３４】
【補正対象書類名】明細書
【補正対象項目名】００５４
【補正方法】変更
【補正の内容】
【００５４】
前記発明１〜３１を展開してなされた本発明の例としての第３２の発明（以下、発明３２という）である光ファイバ保持部品は、発明１〜３１のいずれかに記載の光ファイバ保持部品において、前記接続部部品収納部に隣接する前記第１の光ファイバ収納部には、当該接続部部品収納部に収納する接続部部品の高さより低くない第１の光ファイバ収納部の下面が形成されていることを特徴とする光ファイバ保持部品になっている。
【手続補正３５】
【補正対象書類名】明細書
【補正対象項目名】００５５
【補正方法】変更
【補正の内容】
【００５５】
前記発明１〜３２を展開してなされた本発明の例としての第３３の発明（以下、発明３３という）である光ファイバ保持部品は、発明１〜３２のいずれかに記載の光ファイバ保持部品において、前記第１の光ファイバ収納部の上壁面には穴が形成されていることを特徴とする光ファイバ保持部品になっている。
【手続補正３６】
【補正対象書類名】明細書
【補正対象項目名】００５６
【補正方法】変更
【補正の内容】
【００５６】
前記発明１〜３３を展開してなされた本発明の例としての第３４の発明（以下、発明３４という）である光ファイバ保持部品は、発明１〜３３のいずれかに記載の光ファイバ保持部品において、前記光ファイバ保持部品の一方の特定面側に前記光ファイバ収納部が配置されているとともに他方の特定面側すなわち前記一方の特定面側の裏面側に相当する特定面側に前記接続部部品収納部が配置されており、前記光ファイバ保持部品の一方の特定面側に配置されている前記光ファイバ収納部と前記光ファイバ保持部品の他方の特定面側に配置されている前記接続部部品収納部との間に、前記光ファイバ保持部品の他方の特定面側に配置されている前記接続部部品収納部に収納されている接続部部品に接続されている光ファイバを前記光ファイバ保持部品の一方の特定面側に配置されている前記光ファイバ収納部に当該光ファイバを曲率半径が７．５ｍｍ以下にならないようにして、かつ、当該光ファイバ保持部品からその幅方向や長さ方向の外部に飛び出させることなく移動させることができる切り込み部が形成されていることを特徴とする光ファイバ保持部品になっている。
【手続補正３７】
【補正対象書類名】明細書
【補正対象項目名】００５７
【補正方法】変更
【補正の内容】
【００５７】
前記発明１〜３４を展開してなされた本発明の例としての第３５の発明（以下、発明３５という）である光ファイバ保持部品は、発明１〜３４のいずれかに記載の光ファイバ保持部品において、前記第１の光ファイバ収納部の複数の前記弾性体の突起は、光ファイバを挿入する方向あるいは光ファイバ収納部の開口部から奥に向かう方向に９０°±３０°（以下、おおむね直交して、ともいう）形成されていることを特徴とする光ファイバ保持部品になっている。
【手続補正３８】
【補正対象書類名】明細書
【補正対象項目名】００５８
【補正方法】変更
【補正の内容】
【００５８】
前記発明１〜３５を展開してなされた本発明の例としての第３６の発明（以下、発明３６という）である光ファイバ保持部品は、発明１〜３５のいずれかに記載の光ファイバ保持部品において、前記接続部部品収納部の幅方向に対向して配置されている側壁のうちの少なくとも一方の側壁は、当該接続部部品収納部の底面と鋭角をなしているとともに、当該接続部部品収納部の底面から離れるに従って当該接続部部品収納部の幅が狭くなるように形成されていることを特徴とする光ファイバ保持部品になっている。
【手続補正３９】
【補正対象書類名】明細書
【補正対象項目名】００５９
【補正方法】変更
【補正の内容】
【００５９】
前記発明１〜３６を展開してなされた本発明の例としての第３７の発明（以下、発明３７という）である光ファイバ保持部品は、発明１〜３６のいずれかに記載の光ファイバ保持部品において、少なくとも１つの前記第１の光ファイバ収納部の複数の弾性体の突起は、光ファイバ保持部品の厚み方向に関して上方から下方に向けて形成されていることを特徴とする光ファイバ保持部品になっている。
【手続補正４０】
【補正対象書類名】明細書
【補正対象項目名】００６０
【補正方法】変更
【補正の内容】
【００６０】
前記発明１〜３７を展開してなされた本発明の例としての第３８の発明（以下、発明３８という）である光ファイバ保持部品は、発明１〜３７のいずれかに記載の光ファイバ保持部品において、少なくとも１つの前記第１の光ファイバ収納部の複数の弾性体の突起は、光ファイバ保持部品の厚み方向に関して上方から下方に向けて形成されている突起と下方から上方に向けて形成されている突起であることを特徴とする光ファイバ保持部品になっている。
【手続補正４１】
【補正対象書類名】明細書
【補正対象項目名】００６１
【補正方法】変更
【補正の内容】
【００６１】
前記発明３８を展開してなされた本発明の例としての第３９の発明（以下、発明３９という）である光ファイバ保持部品は、発明３８に記載の光ファイバ保持部品において、前記第１の光ファイバ収納部の、複数の、光ファイバ保持部品の厚み方向に関して上方から下方に向けて形成されている突起と下方から上方に向けて形成されている突起は対向して配置されているであることを特徴とする光ファイバ保持部品になっている。
【手続補正４２】
【補正対象書類名】明細書
【補正対象項目名】００６２
【補正方法】変更
【補正の内容】
【００６２】
前記発明１〜３９を展開してなされた本発明の例としての第４０の発明（以下、発明４０という）である光ファイバ保持部品は、発明１〜３９のいずれかに記載の光ファイバ保持部品において、前記接続部部品収納部の側壁の少なくとも一部が弾性体の突起を用いて構成されていることを特徴とする光ファイバ保持部品になっている。
【手続補正４３】
【補正対象書類名】明細書
【補正対象項目名】００６３
【補正方法】変更
【補正の内容】
【００６３】
前記発明１〜４０を展開してなされた本発明の例としての第４１の発明（以下、発明４１という）である光ファイバ保持部品は、発明１〜４０のいずれかに記載の光ファイバ保持部品において、前記光ファイバ保持部品は、輪郭が、（８２ｍｍ±３％）×（４０ｍｍ±３％）×（８ｍｍ±３％）の大きさを超えないことを特徴とする光ファイバ保持部品になっている。
【手続補正４４】
【補正対象書類名】明細書
【補正対象項目名】００６４
【補正方法】変更
【補正の内容】
【００６４】
前記発明１〜４１を展開してなされた本発明の例としての第４２の発明（以下、発明４２という）である光ファイバ保持部品は、発明１〜４１のいずれかに記載の光ファイバ保持部品において、少なくとも１つの前記第１の光ファイバ収納部に配置されている突起が、中心角がおおむね１０°になる位置に形成されていることを特徴とする光ファイバ保持部品になっている。
【手続補正４５】
【補正対象書類名】明細書
【補正対象項目名】００６５
【補正方法】変更
【補正の内容】
【００６５】
前記発明１〜４２を展開してなされた本発明の例としての第４３の発明（以下、発明４３という）である光ファイバ保持部品は、発明１〜４２のいずれかに記載の光ファイバ保持部品において、前記光ファイバ保持部品に、外部の接続部に接続することができる接続部（以下、外部接続部ともいう）が形成されていることを特徴とする光ファイバ保持部品になっている。
【手続補正４６】
【補正対象書類名】明細書
【補正対象項目名】００６６
【補正方法】変更
【補正の内容】
【００６６】
前記発明４３を展開してなされた本発明の例としての第４４の発明（以下、発明４４という）である光ファイバ保持部品は、発明４３に記載の光ファイバ保持部品において、前記光ファイバ保持部品の前記外部接続部として、前記第１の光ファイバ収納部に形成された穴を利用していることを特徴とする光ファイバ保持部品になっている。
【手続補正４７】
【補正対象書類名】明細書
【補正対象項目名】００６７
【補正方法】変更
【補正の内容】
【００６７】
前記発明４３，４４を展開してなされた本発明の例としての第４５の発明（以下、発明４５という）である光ファイバ保持部品は、発明４３または４４に記載の光ファイバ保持部品において、前記光ファイバ保持部品の外部接続部として、前記光ファイバ保持部品を他の光ファイバ保持部品に着脱可能に接続することができる係合部が形成されていることを特徴とする光ファイバ保持部品になっている。
【手続補正４８】
【補正対象書類名】明細書
【補正対象項目名】００６８
【補正方法】変更
【補正の内容】
【００６８】
前記発明４３〜４５を展開してなされた本発明の例としての第４６の発明（以下、発明４６という）である光ファイバ保持部品は、発明４３〜４５のいずれかに記載の光ファイバ保持部品において、前記光ファイバ保持部品の外部接続部が前記光ファイバ保持部品の外周部に形成されていることを特徴とする光ファイバ保持部品になっている。
【手続補正４９】
【補正対象書類名】明細書
【補正対象項目名】００６９
【補正方法】変更
【補正の内容】
【００６９】
前記発明１〜４６を展開してなされた本発明の例としての第４７の発明（以下、発明４７という）である光ファイバ保持部品は、発明１〜４６のいずれかに記載の光ファイバ保持部品において、前記光ファイバ保持部品が樹脂を用いた一体成形技術で形成されていることを特徴とする光ファイバ保持部品になっている。
【手続補正５０】
【補正対象書類名】明細書
【補正対象項目名】００７０
【補正方法】変更
【補正の内容】
【００７０】
前記発明４７を展開してなされた本発明の例としての第４８の発明（以下、発明４８という）である光ファイバ保持部品は、発明４７に記載の光ファイバ保持部品において、前記光ファイバ保持部品がシリコーンゴムで形成されていることを特徴とする光ファイバ保持部品になっている。
【手続補正５１】
【補正対象書類名】明細書
【補正対象項目名】００７１
【補正方法】変更
【補正の内容】
【００７１】
前記発明４７を展開してなされた本発明の例としての第４９の発明（以下、発明４９という）である光ファイバ保持部品は、発明４７に記載の光ファイバ保持部品において、前記光ファイバ保持部品がフッ素ゴムで形成されていることを特徴とする光ファイバ保持部品になっている。
【手続補正５２】
【補正対象書類名】明細書
【補正対象項目名】０１４３
【補正方法】変更
【補正の内容】
【０１４３】
前記発明１に記載の第１の光ファイバ収納部のような、２つの光ファイバ収納部を、その双方を利用して光ファイバを８の字形に巻回させて保持することができる互いに隣り合ったかつ重ならない位置関係に配置されている光ファイバ収納部は、接続部部品から互いに逆方向にでている第１の光ファイバと第２の光ファイバのうちの一方の巻回方向を逆転させて、途中から双方を同じ方向に巻回させるように用いることもでき、２つの光ファイバ収納部うちの一方にのみに巻回することを利用して巻回長さ調整に利用することもできるなど、前記のように多くの効果をもたらすものである。